(57)【特許請求の範囲】
【請求項１】
前胴回り域と、後胴回り域と、前記前胴回り域と前記後胴回り域との間に位置する股下域とを有し、
前記股下域を跨ぎ前記前胴回り域及び前記後胴回り域に延びる吸収体と、
前記後胴回り域から製品幅方向外側に延出し、前記前胴回り域に止着する一対のファスニングテープと、を備え、
前記前胴回り域から前記後胴回り域に向かう製品長手方向と、前記製品長手方向と直交する製品幅方向と、を有し、
一対の脚回り開口部が形成される使い捨ておむつであって、
前記脚回り開口部の周囲に配置され、少なくとも前記製品長手方向に沿って伸縮可能なレッグ伸縮部と、
前記レッグ伸縮部よりも前記製品幅方向内側に配置され、前記製品長手方向に沿って伸縮可能な収縮部を有する起立性のレッグサイド伸縮部と、を備え、
前記吸収体は、前記吸収体の後胴回り域側の端部から前記股下域側に向かう第１領域と、前記第１領域よりも前記股下域側において前記第１領域に隣接して配置され、前記第１領域よりも曲げ剛性が低い第２領域と、を備え、
前記レッグ伸縮部の前記後胴回り域側の端部及び前記レッグサイド伸縮部における前記収縮部の前記後胴回り域側の端部は、前記第１領域の前記後胴回り域側の端部よりも前記股下域側に配置され、かつ前記第１領域の前記股下域側の端部よりも前記後胴回り域側に配置されている、使い捨ておむつ。
【請求項２】
前記第１領域には、前記吸収体が製品厚み方向に圧縮された圧搾部が形成されている、請求項１に記載の使い捨ておむつ。
【請求項３】
前記圧搾部は、前記第１領域の全域に亘って間欠的に複数形成されている、請求項２に記載の使い捨ておむつ。
【請求項４】
前記吸収体の肌当接面側に配置された液透過性のトップシートと、
前記吸収体の非当接面側に配置された液不透過性のバックシートと、を更に備え、
前記レッグサイド伸縮部は、前記収縮部と、前記収縮部よりも前記製品長手方向外側に配置され、かつ前記トップシート又は前記バックシートに接合される接合部分と、を有し
前記接合部分は、前記後胴回り域側において、前記収縮部よりも前記後胴回り域側に配置されており、
前記接合部分の前記股下域側の端部は、前記第１領域の前記後胴回り域側の端部よりも股下域側に配置され、かつ前記第１領域の前記股下域側の端部よりも後胴回り域側に配置されている、請求項１から請求項３のいずれかに記載の使い捨ておむつ。
【請求項５】
前記第１領域の前記後胴回り域側の端部は、前記使い捨ておむつの前記後胴回り域側の端部よりも前記股下域側に配置されている、請求項１から請求項４のいずれかに記載の使い捨ておむつ。
【請求項６】
前記第１領域は、前記製品幅方向における前記一対のファスニングテープ間に設けられている、請求項１から請求項５のいずれかに記載の使い捨ておむつ。
【請求項７】
前記股下域内において、前記吸収体が配置されている吸収体配置領域に形成され、前記製品長手方向に伸縮可能なクロッチ伸縮部を備えており、
前記第１領域の股下域側の端部は、前記クロッチ伸縮部よりも前記後胴回り域側に配置されている、請求項１から請求項６のいずれかに記載の使い捨ておむつ。
【請求項８】
前記吸収体は、吸収体の他の部位よりも目付けが低い、または吸収コアが存在しない低剛性領域を有しており、
前記低剛性領域は、前記吸収体の前記後胴回り域側の端部における前記製品幅方向中央から前記股下域側に向かって延びるように構成されている、請求項１から請求項７のいずれかに記載の使い捨ておむつ。
【請求項９】
前記低剛性領域の前記製品幅方向の長さは、前記後胴回り域側から前記股下域側に向かうにつれて短くなるように構成されている、請求項８に記載の使い捨ておむつ。
【請求項１０】
前記後胴回り域には、前記製品幅方向における前記一対のファスニングテープ間に、少なくとも前記製品幅方向に伸縮可能な腰回り伸縮部が設けられており、
前記低剛性領域の少なくとも一部は、平面視において前記腰回り伸縮部と重なる位置に配置されている、請求項８又は請求項９に記載の使い捨ておむつ。
【請求項１１】
前記第１領域は、前記製品幅方向における前記吸収体全域に設けられている、請求項１から請求項１０のいずれかに記載の使い捨ておむつ。
【発明の詳細な説明】
【技術分野】
【０００１】
本発明は、使い捨ておむつに関する。
【背景技術】
【０００２】
従来、前胴回り域と後胴回り域と股下域とを有し、一対の脚回り開口部が形成されると共に、股下域を跨ぎ前胴回り域及び後胴回り域に延びる吸収体を備え、後胴回り域においてファスニングテープを備えた使い捨ておむつが知られている。このように構成された使い捨ておむつは、ファスニングテープを前胴回り域のターゲット部等に止着させることで、容易に装着できるため、新生児や乳幼児に広く用いられている。
【０００３】
また、このようなファスニングテープを備えた使い捨ておむつにおいて、装着時のフィット性を向上させるために、着用者の脚回りに配置される脚回り開口部に沿って設けられたレッグ伸縮部や、吸収体の幅方向の外側端部を覆うように設けられたレッグサイド伸縮部を備えた構造が知られている（例えば、特許文献１参照）。
【先行技術文献】
【特許文献】
【０００４】
【特許文献１】特開２００９−２０７７７８号公報
【発明の概要】
【発明が解決しようとする課題】
【０００５】
しかし、上述の使い捨ておむつは、以下の問題点があった。
【０００６】
ファスニングテープを備えた使い捨ておむつを新生児や乳幼児に着用させる際は、一般的に、使い捨ておむつを製品長手方向に展開した状態で、吸収体の後胴回り域に着用者の臀部を載せて装着する。
【０００７】
しかし、レッグ伸縮部やレッグサイド伸縮部は、少なくとも製品長手方向に伸縮可能に構成されており、装着前の状態でレッグ伸縮部やレッグサイド伸縮部の製品長手方向の端部が配置された領域及びその領域から幅方向に延びる一定範囲に皺が生じることがある。このように、レッグ伸縮部やレッグサイド伸縮部の製品長手方向の端部が配置された領域等に皺が生じていると、適切な位置に臀部を配置できず、装着位置がずれてしまうおそれがある。
【０００８】
そこで、本発明は、上述の課題に鑑みてなされたものであり、ファスニングテープを有するオープンタイプの使い捨ておむつを正しい位置に装着し易くし、装着位置のずれを抑制できる使い捨ておむつを提供することを目的とする。
【課題を解決するための手段】
【０００９】
本開示に係る使い捨ておむつ（使い捨ておむつ10）は、前胴回り域（前胴回り域20）と、後胴回り域（後胴回り域30）と、前記前胴回り域と前記後胴回り域との間に位置する股下域（股下域25）と有し、前記股下域を跨ぎ前記前胴回り域及び前記後胴回り域に伸びる吸収体（吸収体40）と、前記後胴回り域から製品幅方向外側に延出し、前記前胴回り域に止着する一対のファスニングテープ（ファスニングテープ90）と、を備え、前記前胴回り域から前記後胴回り域に向かう製品長手方向（製品長手方向L）と、製品長手方向と直交する製品幅方向（製品幅方向W）とを有し、一対の脚回り開口部（脚回り開口部35）が形成される使い捨ておむつ（使い捨ておむつ10）であって、前記脚回り開口部の周囲に形成され、少なくとも前記製品長手方向に伸縮可能な一対のレッグ伸縮部（レッグ伸縮部75）と、前記レッグ伸縮部よりも前記製品幅方向内側に配置され、前記製品長手方向に沿って伸縮可能な収縮部を有する起立性のレッグサイド伸縮部（レッグサイドギャザー80）と、を備え、前記吸収体は、前記吸収体の後胴回り域側の端部から前記股下域側に向かう第１領域（第１領域41）と、前記第１領域よりも前記股下域側において前記第１領域に隣接して配置され、前記第１領域よりも曲げ剛性が低い第２領域（第２領域42）と、を備え、前記第１領域は、前記製品幅方向における前記吸収体全域に設けられ、前記レッグ伸縮部の前記後胴回り域側の端部及び前記レッグサイド伸縮部における前記収縮部の前記後胴回り域側の端部は、前記第１領域の前記後胴回り域側の端部よりも前記股下域側に配置され、かつ前記第１領域の前記股下域側の端部よりも前記後胴回り域側に配置されていることを要旨とする。
【発明の効果】
【００１０】
本開示に係る使い捨ておむつによれば、ファスニングテープを有するオープンタイプの使い捨ておむつを正しい位置に装着し易くし、装着位置のずれを抑制できる使い捨ておむつを提供するこができる。
【図面の簡単な説明】
【００１１】
【図１】本実施形態に係る使い捨ておむつの展開平面図である。
【図２】本実施形態に係る使い捨ておむつの展開平面図である。
【図３】図１に示したF2-F2線に沿った使い捨ておむつの断面図である。
【図４】本実施形態に係る吸収体を示す図である。
【図５】本実施形態に係る使い捨ておむつを着用者に装着する様子を示す図である。
【図６】本実施形態に係る使い捨ておむつを着用者に装着する様子を示す図である。
【図７】本実施形態に係る使い捨ておむつを着用者に装着する様子を示す図である。
【発明を実施するための形態】
【００１２】
次に、本発明に係る使い捨ておむつの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１３】
したがって、具体的な寸法などは以下の説明を参酌して判断すべきである。また、図面相互間においても互いの寸法の関係や比率が異なる部分が含まれ得る。
【００１４】
（１）使い捨ておむつの全体概略構成
図１及び図２は、本実施形態に係る使い捨ておむつ10の展開平面図である。図３は、図１に示したF2-F2線に沿った使い捨ておむつ10の断面図である。
【００１５】
使い捨ておむつ10は、前胴回り域20と、股下域25と、後胴回り域30とを有する。前胴回り域20は、着用者の前胴回り部（腹部分）と接する部分である。また、後胴回り域30は、着用者の後胴回り部（背部分）と接する部分である。股下域25は、前胴回り域20と後胴回り域30との間に位置する。また、使い捨ておむつ10には、一対の脚回り開口部35が形成される（図７参照）。脚回り開口部35は、使い捨ておむつの製品幅方向の側端部に設けられており、使い捨ておむつが着用者に着用され状態で、着用者の脚回りに沿って配置される部分である。
【００１６】
なお、本実施形態では、前胴回り域20から後胴回り域30に向かう方向を製品長手方向Lと呼び、製品長手方向Lと直交する方向を製品幅方向Wと呼ぶ。
【００１７】
使い捨ておむつ10は、股下域25を跨ぎ前胴回り域20及び後胴回り域30に延びる吸収体40を備える。吸収体40は、吸収コア40aとコアラップ40bとによって構成される。
【００１８】
吸収コア40aは、従来の使い捨ておむつと同様であり、粉砕パルプや高吸収ポリマーなど、公知の部材や材料を用いて適宜構成することができる。吸収コア40aは、シート状のコアラップ40bによって包まれている。コアラップ40bは、吸収コア40aを被覆するシートである。コアラップ40bの少なくとも肌面側の一部は、透液性を有する各種の繊維不織布もしくはティッシュシートによって構成される。例えば、質量約10〜30g/m2のエアースルー繊維不織布、スパンボンド不織布、SMS（スパンボンド−メルトブローン−スパンボンド）不織布、または質量約10〜30g/m2のティッシュシートを用いることができる。
【００１９】
吸収体40の表面側（肌当接面側）には、液透過性のトップシート50が備えられる。また、吸収体40の裏面側（非肌当接面側）には、液不透過性のバックシート60aが備えられる。
【００２０】
吸収体40の製品幅方向Wにおける側縁部には、サイドフラップ70がそれぞれ備えられる。サイドフラップ70は、１枚または２枚以上の複数枚重ねた不織布によって構成されている。また、一対のサイドフラップ70には、ファスニングテープ90がそれぞれ備えられる。
【００２１】
ファスニングテープ90は、後胴回り域30において、製品幅方向Wに沿って延び、前胴回り域20の非肌当接面に止着されることにより、使い捨ておむつ10を着用者の身体に保持する。
【００２２】
本実施形態において、前胴回り域20、後胴回り域30、及びファスニングテープ90によって胴回り保持部が構成される。
【００２３】
また、使い捨ておむつ10は、股下域25に形成され、製品長手方向Lに伸縮可能なクロッチ伸縮部200aを備えている。具体的には、クロッチ伸縮部200aは、股下域25に形成されているクロッチ部200に配置されている。なお、クロッチ部200及びクロッチ伸縮部200aの構成については、後述にて詳細に説明する。
【００２４】
吸収体40の表面側（トップシート50側）は、脚回り開口部35の周囲に形成され、製品長手方向Lに伸縮可能な一対のレッグ伸縮部75が備えられる。
【００２５】
レッグ伸縮部75は、製品長手方向Ｌにおいて、クロッチ伸縮部200aよりも長いと共に、製品幅方向Ｗにおいて、クロッチ伸縮部200aよりも外側に備えられている。
なお、レッグ伸縮部75は、脚回り開口部35を製品長手方向に伸縮できるように構成されていればよく、脚回り開口部35に沿って配置されていてもよいし、一部が脚回り開口部35に対して傾斜した状態で配置されていてもよい。図２に、レッグ伸縮部75の製品長手方向における収縮領域75aを示す。
【００２６】
また、レッグ伸縮部75は、伸縮性シート等によって実質的に製品長手方向に収縮する部分であり、収縮力が発揮されない状態で伸縮性シートが配置された部分を除く概念である。
【００２７】
本実施の形態のレッグ伸縮部７５は、伸縮性シートによって構成されている。例えば、かかる伸縮性シートとしては、ウレタンやスチレンのような熱可塑性エラストマ樹脂を溶融しフィルム状とした伸縮性フィルムや、伸縮繊維からなる伸縮性不織布や、伸縮性フィルムや伸縮性不織布に部分的に切断され又は脆弱化された非伸張性シートを張り合わせた複合シート等を用いることができる。
【００２８】
また、かかる伸縮性シートの代わりに、ポリウレタン弾性繊維や天然ゴムからなる糸状・帯状の弾性部材を、１本又は複数本配置することによってレッグ伸縮部75を構成してもよい。
【００２９】
レッグ伸縮部75を構成する伸縮性シートは、少なくとも股下域25において、幅5mm（使い捨ておむつ10の自然状態における製品幅方向Wにおける幅）以上、45mm以下、より好ましくは、12.5mm以上35mm以下であることが好ましい。5mm未満では、実質的に面で着用者の脚回りに沿うことで、部分的に締め付ける力が集中せずに、弾性要素による肌への負荷を下げるという効果が発現せず、45mmを超えると、使い捨ておむつ全体の製品幅方向の長さと比較して脚回りに沿う領域が広くなり過ぎてしまい、伸縮性シートが着用者の身体側に巻き込んだり、めくれたりし易くなってしまう。
【００３０】
レッグ伸縮部75の伸縮率は、1.6〜2.4倍であることが好ましい。本実施形態では、レッグ伸縮部75の伸縮率は、2.0倍に設定される。
【００３１】
また、左右一対のレッグ伸縮部75の製品幅方向Wにおける内側端の間隔は、股下域25から前胴回り域20に向かうに連れて広くなるとともに、股下域25から後胴回り域30に向かうに連れて広くなる。股下部にて狭く、前後の胴回りに向かって広がる形状にレッグ伸縮部を配置することにより、レッグ伸縮部が身体のラインに沿うことが可能となり、着用者の脚回りに好適にレッグ伸縮部が伸長配置されることとなる。
【００３２】
さらに、左右一対のレッグ伸縮部75の前胴回り域20の端部における当該間隔（図中のD1）は、左右一対のレッグ伸縮部75の後胴回り域30の端部における間隔（図中のD2）よりも狭い。なお、当該間隔は、使い捨ておむつ10を自然状態からしわがない状態に製品長手方向L及び製品幅方向Wに拡幅して保持した後、左右一対のレッグ伸縮部75の製品幅方向Wにおける内側端間の距離を測定したものである。
【００３３】
着用者の身体の皮膚表面の伸びは、臀部において特に大きく、その幅方向外側寄りの位置にて顕著である。また、レッグ伸縮部75は、着用者の身体に密着している。そこで、D2＞D1とすることで、着用者の動きが使い捨ておむつ10に加わった場合でも、臀部側でのレッグ伸縮部75が密着したまま伸びることができ、伸びの変化量が大きくてもレッグ伸縮部75が突っ張ることがない。従って、レッグ伸縮部75による使い捨ておむつ10のズレを抑制し得る。
【００３４】
また、一対のレッグ伸縮部75の内側（製品幅方向Wにおける中央寄り）には、製品長手方向Lに沿って延びる一対のレッグサイドギャザー（レッグサイド伸縮部）80が備えられる。レッグサイドギャザー80は、サイドフラップの製品幅方向の内側端部に設けられており、レッグ伸縮部よりも製品幅方向内側に配置される起立性の伸縮ギャザーである。サイドフラップは、製品幅方向における内側端部において表面シート側に折り返されており、２層積層されている。この２層のサイドフラップ間に、長手方向に伸長された状態で弾性部材71（図２参照）が設けられている。このサイドフラップ70と弾性部材71とでレッグサイドギャザー80が形成される。
【００３５】
図１に示す使い捨ておむつの展開平面図は、レッグサイドギャザー80の弾性部材71が収縮した状態であり、図２に示す使い捨ておむつの展開平面図は、レッグサイドギャザー80の弾性部材71が伸長した状態を示している。使い捨ておむつは、自然状態では、図１に示す状態となる。
【００３６】
レッグサイドギャザー80は、バックシート60a、外装シート60若しくはトップシート50に接合される接合部分81と、接合部分81と反対側に位置し、弾性部材が配置された自由端部分82とを有する。レッグサイドギャザー80は、着用時には接合部分81を基端部として立ち上がり、自由端部分82の収縮部84が頂点部として着用者の肌と接触する。
【００３７】
なお、収縮部84は、弾性部材71によって実質的に製品長手方向に収縮した部分であり、収縮力が発揮されない状態で弾性部材71が配置された部分を除く概念である。また、図２に、レッグサイドギャザーにおいて、サイドフラップ70とトップシート50とが接合された接合部分81に斜線を付して示すとともに、収縮部84の製品長手方向における領域84aを示す。
【００３８】
接合部分81は、複数設けられており、一部の接合部分81は、収縮部84よりも製品長手方向外側に配置され、他の接合部分は、収縮部84よりも製品幅方向外側に配置されている。よって、レッグサイドギャザー80は、自由端部分82の全長が着用者側に立ち上がらず、股下域25を含む製品長手方向の中央部分が着用者側に立ち上がるように構成される。
【００３９】
レッグサイドギャザー80の接合部分81のうち、収縮部84よりも製品幅方向外側に配置されている接合部分は、製品幅方向Wにおいて、クロッチ伸縮部200aとレッグ伸縮部75との間に配置される。収縮部84よりも製品幅方向外側に配置されている接合部分は、バックシート60aに接合される。
【００４０】
レッグサイドギャザー80の接合部分81のうち、収縮部84よりも製品長手方向外側に配置されている接合部分は、トップシート50に接合される。なお、トップシート50の製品長手方向の長さが使い捨ておむつ全体の製品長手方向の長さよりも短い形態にあっては、収縮部84よりも製品長手方向外側に配置されている接合部分は、外装シート60やバックシート60aに接合されていてもよい。
【００４１】
なお、レッグサイドギャザー80の接合部分81は、種々の構成を採用できる。接合部分は、例えば、製品長手方向に股下部から前胴回り域及び後胴回り域に延び、トップシートに接合される部分であってもよいし、吸収コア40aよりも幅方向外側において液不透過性のバックシートや外装シートに接合される部分であってもよく、起立の基端部となるように構成される。
【００４２】
また、レッグサイドギャザーは、レッグ伸縮部よりも製品幅方向内側に配置される起立性のギャザーであればよく、上記構成に限定されず、従来において周知のレッグサイドギャザーの構成を採用できることは勿論である。
【００４３】
なお、バックシート60aは、吸収体４０と外装シート60aとの間に配置されており、防漏シートとして機能する。
【００４４】
また、製品幅方向における一対のファスニングテープ間には、製品幅方向に伸縮可能な腰回り伸縮部85が設けられている。腰回り伸縮部85は、平面視において、一対のファスニングテープ間に配置されており、ファスニングテープ間を幅方向に収縮する。腰回り伸縮部85は、トップシートの肌当接側の面に配置されており、ファスニングテープ間を幅方向に収縮する。
【００４５】
腰回り伸縮部８５を構成する部材については、特に限定されないが、出来る限り薄くて曲げ剛性が低く、幅入り率が小さい、例えば、伸縮性フィルムを用いることが好ましい。
【００４６】
腰回り伸縮部８５は、非伸長状態（自然状態）における長さの１.５〜２.５倍に引き延ばされた後、ホットメルト接着剤又は加熱処理等によって外装シート60に接着される。
【００４７】
本実施の形態では、腰回り伸縮部８５は、外装シート60とバックシート60aとの間に配置されている（図３参照）。しかし、コアラップ40bが吸収コア40aよりも製品長手方向外側に延出する構成にあっては、腰回り伸縮部85は、コアラップ40bと、バックシート60a又は外装シート60と、の間に配置されていてもよい。腰回り伸縮部の位置は、特に限定されないが、好ましくは、吸収体40よりも非肌当接面側に配置される。また、吸収体が配置されない領域にあっては、サイドシート70と、バックシート60a又は外装シート60と、の間に配置されていてもよい。
【００４８】
なお、本実施の形態に係る腰回り伸縮部は、製品幅方向に伸縮するように構成されているが、腰回り伸縮部が製品幅方向と製品長手方向に伸縮するように構成されていてもよい。
【００４９】
（２）クロッチ部の形状
次に、クロッチ部200の形状について説明する。上述したように、クロッチ部200はクロッチ伸縮部200aを有する。クロッチ伸縮部200aは、使い捨ておむつの着用時において、吸収体40の他の部分よりも平坦な形状を維持し易いように構成されている。クロッチ部200は、少なくとも製品長手方向Lまたは製品幅方向Wに伸縮可能なクロッチ伸縮部200aを有する。
【００５０】
クロッチ伸縮部200aは、レッグ伸縮部75とは個別独立して設けられており、吸収コア40aと重なる位置（本実施形態では、吸収コア40aを包むコアラップ40bとバックシート60aとの間の位置）において、当該重なる位置における吸収コア40aの幅方向の長さの６０％以上を収縮させるように構成されている。このように、クロッチ伸縮部200aによって吸収コア40aが配置された部分を収縮させることにより、吸収コア40aが縮み、吸収コア40aが縮まない部分と比較して平坦な形状を維持し易くなる。
【００５１】
一方、クロッチ伸縮部200aよりも製品長手方向外側に位置する前胴回り域や後胴回り域に位置する吸収コア40aは、クロッチ伸縮部200aによって収縮していないため、吸収体全体が過度に身体に密着することなく、クロッチ部200が適度に身体に沿って配置される。
【００５２】
また、クロッチ部200が、製品長手方向Lに沿って伸縮可能であるため、前胴回り域20及び後胴回り域30がクロッチ部200の収縮によって立ち上がり易くなり、着用時には、着用者の股部にて身体に沿って平坦な股下域を形成する。クロッチ伸縮部200aから前胴回り域及び後胴回り域が立ち上がるので、使い捨ておむつ10の着用者へのフィット性が向上する。クロッチ伸縮部200aは、伸縮性シートによって構成されることが好ましい。伸縮性シートによってクロッチ伸縮部200aを構成することにより、伸縮性シート200aを配置した領域の吸収コア40aが一様に縮められ、平坦な形状維持がより容易になる。なお、伸縮性シートは、例えば、レッグ伸縮部75と同様の伸縮性シートによって構成することができる。
【００５３】
また、かかる伸縮性シートの代わりに、ポリウレタン弾性繊維や天然ゴムからなる糸状・帯状の弾性部材を、複数本配置することによってクロッチ伸縮部200aを構成してもよい。この場合、クロッチ伸縮部200aによって吸収コア40aを一様に縮めるためには、弾性部材同士の間隔を７ｍｍ以下、より好ましくは５ｍｍ以下であるとよい。また、吸収コア40aを一様に縮めるために、隣り合う弾性部材の間隔の差は、０．５ｍｍ以下であることが望ましい。
【００５４】
また、クロッチ伸縮部200aの伸縮率は、具体的には、1.2倍以上、1.8倍以下であることが好ましい。本実施形態では、クロッチ伸縮部200aの伸縮率は、1.4倍に設定される。伸縮率は、クロッチ伸縮部200aの伸縮方向（製品長手方向L）における伸縮の程度を意味し、以下のように規定される。
【００５５】
伸縮率は、伸縮方向（本実施形態では、製品長手方向Ｌ）におけるクロッチ伸縮部２００ａの伸縮の程度を意味し、以下のように規定される。
【００５６】
伸縮率＝（最大伸張状態におけるクロッチ伸縮部２００ａの伸縮方向における長さ）/（自然状態におけるクロッチ伸縮部２００ａの伸縮方向における長さ）
【００５７】
なお、本明細書において、かかる伸縮率は、例えば、次のように測定されるものとする。
【００５８】
第１に、使い捨ておむつ10がパッケージ等に封入されている場合には、パッケージから使い捨ておむつ10を取り出し、その状態にて２０℃±２℃、相対湿度６０％±５％ＲＨの雰囲気下において６０分間放置し、伸縮方向に沿ってクロッチ伸縮部の長さを測定する。この長さを、「自然状態におけるクロッチ伸縮部２００ａの伸縮方向における長さ」とする。
【００５９】
第２に、かかる状態（すなわち、自然状態）における所望領域の伸縮方向における長さ、及び、自然状態から弾性部材による皺が目視にて確認できない状態まで延伸した時の所望領域の伸縮方向における長さを測定する。この長さを、「最大伸張状態におけるクロッチ伸縮部２００ａの伸縮方向における長さ」とする。
【００６０】
このように、クロッチ伸縮部200aの伸縮率を、１.２倍以上１.８倍以下とすることによって、着用者の皮膚の伸縮に好適に追従することができる。
【００６１】
例えば、着用者が、身体前側が縮むような前屈みの姿勢をとると、着用者の臀部側の皮膚において、身体を伸ばした状態に対して３０％程度伸びる部位が存在する。
【００６２】
つまり、クロッチ伸縮部200aの伸縮率を１.２倍以下とすると、自然状態におけるクロッチ伸縮部200aの収縮が十分でなく、クロッチ伸縮部200aが設けられていない場合と比較して、使い捨ておむつ10の曲げ易さの差が小さく、所望の位置において前胴回り域20が立ち上がらなくなってしまう。
【００６３】
一方、クロッチ伸縮部200aの伸縮率を１.８倍よりも大きくすると、クロッチ伸縮部200aの収縮方向における収縮寸法が大きくなり過ぎるため、クロッチ伸縮部200aが存在する領域が、身体に沿うよりも密着する状態となり易く、使い捨ておむつ１０が、着用者の下方にズレ易くなってしまう。
【００６４】
また、製品長手方向Ｌにおけるクロッチ伸縮部200aの中心は、製品長手方向Ｌにおける使い捨ておむつ10の中心よりも、前胴回り域２０側に配置されている。ただし、クロッチ伸縮部200aは、製品長手方向Ｌにおける使い捨ておむつ１０の中心を跨ぐように配置されている。
【００６５】
かかる場合、吸収体コア40aの剛性及び使い捨ておむつ10を構成する他の部材の剛性を考慮して、用いる弾性部材の太さや配置するピッチを適宜選択できるが、使い捨ておむつ10本体を自然状態（非伸張状態）とした際に、吸収体コア40aの製品幅方向Ｗにおける側縁部全域が収縮した状態となるようにすることが好ましい。
【００６６】
また、吸収体40の股下域25には、切欠き115（切欠き125）が形成される。切欠き115及び切欠き125は、吸収体40を構成する吸収コア40aが存在しない領域である。本実施形態において、切欠き115及び切欠き125は、吸収コア40aの目付けが吸収コア40aの他の部分よりも低い低剛性部に該当する。なお、切欠き115及び切欠き125を形成することに代えて、切欠き115及び切欠き125の領域を、吸収コア40aの目付けが吸収コア40aの他の部分よりも低くするようにしてもよい。
【００６７】
切欠き115及び切欠き125は、クロッチ部200の製品長手方向Lにおける縁部に沿って存在する。なお、切欠き115及び切欠き125が形成されていても、前胴回り域20及び後胴回り域30に位置する吸収コア40aと、股下域25に位置する吸収コア40aとは、完全に切り離されることなく特に幅方向において連続していることが好ましい。
【００６８】
切欠き115及び切欠き125は、製品幅方向W外側に行くに連れて製品長手方向Lにおける長さが広くなっている。このような形状により、吸収コア40aの製品幅方向W外側がより縮み易くなるため、平坦な「底部」がより容易に形成される。更には、切欠き115よりも前胴回り域20寄りに位置する吸収コア40a、及び切欠き125よりも後胴回り域30寄りに位置する吸収コア40aが、「底部」から立ち上がり、着用者の体（腹部および臀部）の丸みに沿うように湾曲し易くなるため、使い捨ておむつそのものの形状が着用者の体の形により近づくことができる。
【００６９】
また、切欠き115（切欠き125）の前胴回り域20（後胴回り域30）寄りの縁部は、円弧状である。切欠き115（切欠き125）の縁部は、円弧の中心が当該縁部よりも後胴回り域30（前胴回り域20）に位置するような形状である。このような形状により、着用者の体の丸みに沿った変形がより容易かつ顕著に起き易い。
【００７０】
（３）吸収体の形状
次に、吸収体40の形状について説明する。図４は、吸収体を示した図である。図４（ａ）は、トップシート50側から視た拡大平面図であり、図４（ｂ）は、図４（ａ）の部分拡大図であり、図４（ｃ）は、図４（ｂ）のＸ−Ｘ断面図である。
【００７１】
吸収体40は、吸収体の後胴回り域側の端部40Rから股下域側に向かう第１領域41と、第１領域41よりも股下域側において第１領域41に隣接して配置され、第１領域41よりも曲げ剛性が低い第２領域42と、を備える。第２領域42は、クロッチ伸縮部200a及び切欠き125よりも後胴回り域側に配置されている。
【００７２】
第１領域41は、製品幅方向における吸収体全域に設けられている。第１領域41には、吸収体40が製品厚み方向に圧縮された圧搾部45が形成されている。圧搾部45は、第１領域41の全域に亘って間欠的に複数形成されている。一方、第2領域42には、圧搾部45が形成されていない。よって、第１領域41の曲げ剛性は、第２領域42の曲げ剛性よりも高く構成されている。
【００７３】
なお、本実施の形態における曲げ剛性は、テーバー法（ＪＩＳＰ８１２５）に準拠した剛性値に基づいており、以下の方法の測定により確認する事も可能である。まず、使い捨ておむつを展開状態にて、曲げ剛性の測定対象部分のサンプル（例えば、吸収体）を採取する。サンプルは、測定対象部分について、製品幅方向又は製品長手方向に沿って、サンプル長さ７０ｍｍ×サンプル長さ方向に直交する幅方向に３８ｍｍの寸法にて準備する。サンプル中に伸縮弾性部材が含まれる場合には、弾性部材を取り除いておく。なお、剛性値の測定の試験器は、（株）安田精機製作所製のテーバースティフネステスターを使用する。また、サンプル数は、１０であり、各サンプルについて測定し、その平均値を剛性値とする。
【００７４】
測定の手順は、以下の（ａ）〜（ｅ）の通りである。
【００７５】
（ａ）採取したサンプルの厚み（Ａ）を測定する。
【００７６】
（ｂ）次いで、試験機のチャック（下側）の中心に触れる程度にサンプルを挟み込む。
【００７７】
(c)支持ローラとサンプルとの左右隙間の合計を（Ａ）×０．８０（ｍｍ）に調節する。
【００７８】
(d)指示荷重目盛が最大目盛りの15〜85%の範囲に入るように、補助おもりを適切に選択する。
【００７９】
(e)サンプルを左右両方向に回転させ、１５度支持刻線と振り子の中心刻とが一致した点で停止させ、試験機の目盛りを読み取る。目盛りの左側の数値を（Ｂ）とし、目盛りの右側の数値を（Ｃ）とする。
【００８０】
剛性値は、以下の式によって求められる。
【００８１】
式： 剛性値（mＮ・m）＝(（（Ｂ）＋（Ｃ））／２)×（補助おもり係数）×９．８ 1×10-2
【００８２】
なお、試験片の幅が３８ｍｍを採取できない場合には、38mm幅の曲げモーメントへ換算を行う。
【００８３】
このように測定した剛性値が高いほど、曲げ剛性が高く、剛性値が低い程、曲げ剛性が低くなる。
【００８４】
複数の圧搾部45は、製品幅方向の長さよりも製品長手方向の長さが長くなるように構成されており、千鳥状に配置されている。このように、圧搾部45が千鳥状に不連続に配置されているため、第１領域41には、圧搾された部分と圧搾されていない部分とが混在する。圧搾されていない部分は、圧搾された部分よりも曲げ剛性が低く、柔軟に変形できるため、第１領域41の曲げ剛性を高めつつ、丸みのある体のラインに沿って第1領域41を配置できる。
【００８５】
なお、圧搾部45は、吸収コア40aをコアラップ40bで包んだ状態で、コアラップ40bの外側から厚み方向に圧搾されて形成されていてもよいし、吸収コア40aを構成する吸収材料を積層する際に、第1領域41の吸収材料の目付を第2領域42の吸収材料よりも高く形成し、吸収コア40aを厚み方向に圧縮することにより形成されていてもよい。
【００８６】
また、本実施形態の吸収体は、圧搾部45が形成されることにより第１領域41の曲げ剛性が高くなるように構成されているが、他の構成によって第１領域41の曲げ剛性が第2領域42よりも高くなるように構成されていてもよい。
【００８７】
後胴回り域の吸収体40には、吸収体の他の部位よりも目付けが低い、または吸収コア40aが存在しない低剛性領域としての切欠き110が設けられている。切欠き110は、吸収体40の後胴回り域側の端部の製品幅方向中央から股下域側に向かって徐々に製品幅方向の長さが短くなる形状である。より具体的には、使い捨ておむつの平面視においてくさび形状である。また、吸収コア40aの切欠き110との境界は、製品幅方向Wの中心に向けて凸となるような円弧で形成される。切欠き110よりも製品幅方向外側の吸収体40は、後胴回り域側の端部に向けて凸となる台形形状である。
【００８８】
切欠き110の一部は、使い捨ておむつの平面視において、腰回り伸縮部85と重なって配置されている。なお、本実施形態では、腰回り伸縮部85は、切欠き110の一部と重なって配置されているが、腰回り伸縮部85の全てと切欠き110が重なって配置されていてもよい。
【００８９】
このような切欠き110が形成されていることにより、腰回り伸縮部85の伸縮を阻害せず、腰回り伸縮部85が収縮しても、切欠き110が狭まり、切欠き110よりも製品幅方向両側の吸収体間の間隔が狭くなるため、吸収体40が意図しない形状で隆起し難くなる。なお、切欠き110は、排泄物の漏れ防止を考慮すると、腰回り伸縮部85の幅より狭いことが好ましい。
【００９０】
また、腰回り伸縮部85によって吸収体40が製品幅方向Wにおいて収縮させられて、切欠き110よりも製品幅方向両側の吸収体間の間隔が狭くなると、切欠き110の後胴回り域30側の端部寄りの部位が股下域25寄りの部位よりも大きく製品幅方向W中央に寄せられるため、後胴回り域30側の部位と股下域25寄りの部位とでは製品幅方向Wにおける収縮量の差が発生し、後胴回り域30が起立するようになる。
【００９１】
すなわち、製品幅方向Wに伸縮可能な腰回り伸縮部85と、くさび状の切欠き110を有するため、使い捨ておむつ10の装着時には、非肌面側に使い捨ておむつ10が膨らむカップ形状が形成され易い。さらに、第１領域41が腰回り伸縮部85を超えて股下域25側に配置されているため、収縮されている領域と非収縮領域との境界部分に使い捨ておむつ10の製品幅方向Wに伸びる折曲部が形成されて、後胴回り域30が、切欠き110よりも製品長手方向内側を基準面とした場合、当該基準面よりも持ち上がる状態に変形する。このため、着用者の背側・臀部部分のカーブに沿うように、使い捨ておむつ10自体が変形し、着用者の身体との間に隙間が生じ難く、背中側の腰回りにズレや隙間が発生し難い。つまり、使い捨ておむつ10によれば、製品幅方向Wにカップ形状を形成させる要素と、製品長手方向Lにカップ形状を形成させる要素との双方を備えるため、Ｃ型のカーブの姿勢をとり易い着用者の身体に沿い易い。
【００９２】
また、本実施形態では、切欠き110には、吸収コア40aが存在せず、切欠き110と重なるように腰回り伸縮部85が存在するため、製品長手方向Lにおける後胴回り域30側の端部寄りの部位が吸収コア40aの端部位置よりも大きく製品幅方向W中央に寄せられ、後胴回り域30の立ち上がりがより顕著になるため、上述したカップ形状をより安定して形成し得る。
【００９３】
本実施形態では、腰回り伸縮部85は、吸収コア40aの製品幅方向Wにおける側縁を超えて存在するため、使い捨ておむつ10をカップ形状に形成しつつ、製品長手方向Lにおける後胴回り域30側の端部側より位置の吸収コア40aについては着用者の体に積極的に沿わせることができる。さらには、腰回り伸縮部85及び低剛性領域110の少なくとも一部は、一対のファスニングテープ90が設けられているテープ配置領域A1に存在するため、使い捨ておむつ10を下に敷いて着用者を寝かせた状態で使い捨ておむつ10を装着する際でも、吸収コア40aの製品幅方向Wにおける側縁を超えて存在する腰回り伸縮部85は、着用者の身体の下に敷かれないので、ファスニングテープ90を引っ張ることによって腰回り伸縮部85の側縁が伸長し、カップ形状のウエスト側より位置をより確実に体に沿わせることが容易となる。
【００９４】
本実施形態では、切欠き110よりも製品幅方向外側の吸収コア40aが、後胴回り域側に向かって凸形状である。このため、上述したように非肌面側に使い捨ておむつ10が膨らむカップ形状が形成され易くすることに加え、吸収コア40aの表面面積が維持されるため、吸収コア40a端部からの排泄物の漏れを防止し得る。
【００９５】
本実施形態では、切欠き110はくさび状であり、吸収コア40aの切欠き110との境界は、股下域25に向けて凸となるような円弧である。なお、円弧の半径は50mm〜200mmである。このため、切欠き110の製品幅方向Wにおける幅は、製品長手方向Lにおける後胴回り域30側の端部に行くに連れて非線形に大きくなり、後胴回り域30の立ち上がりがより顕著になるため、カップ形状をより安定して形成し易い。さらに、吸収コア40aの切欠き110との境界が股下域25に向けて凸となるような円弧であるため、切欠き110の収縮によって後胴回り域30が丸みのあるカップ形状となり、着用者の丸みのある臀部に沿い易い形状となる。
【００９６】
また、切欠き110が形成されていることで、吸収体40の後胴回り域側の端部には、左右それぞれに後回り域側に向かう凸形状が形成されている。この吸収体形状は、おしりを載せることを想起させるため、より使用者がおむつを着用者にとって正しい位置に合わせやすくなるという効果がある。
【００９７】
第１領域41と第２領域42との境界は、製品幅方向Wに沿って配置されている。図４に、第１領域41と第2領域42との境界を仮想的に示す境界線BL12を示す。
【００９８】
第１領域41と第２領域42との境界は、レッグ伸縮部75の後胴回り域側の端部75R（図２参照）及びレッグサイドギャザー80における収縮部84の後胴回り域側の端部84R（図２参照）よりも股下域側に配置されている。また、第１領域41の後胴回り域側の端部41Rは、レッグ伸縮部75の後胴回り域側の端部75R及び収縮部84の後胴回り域側の端部84Rよりも後胴回り域側に配置されている。なお、第１領域41の後胴回り域側の端部41Rは、吸収体40の後胴回り域側の端部40Rである。
【００９９】
すなわち、レッグ伸縮部の後胴回り域側の端部75R及びレッグサイドギャザーにおける収縮部の後胴回り域側の端部84Rは、製品長手方向において第１領域41と重なるように配置されている。
【０１００】
いわゆるオープンタイプの使い捨ておむつを新生児等に装着する際は、長手方向に展開した状態で、吸収体の後胴回り域に着用者の臀部を乗せて装着する。このとき、使い捨ておむつは、レッグ伸縮部75及びレッグサイドギャザー80によって製品長手方向に伸縮しており、吸収体40が製品長手方向に伸縮する。このように、吸収体40が製品長手方向に収縮すると、特にレッグ伸縮部75の製品長手方向の端部やレッグサイド伸縮部の製品長手方向の端部が配置された領域及びその領域から幅方向に延びる一定範囲に皺が生じ、正しい位置に臀部を配置できず、装着位置がずれるおそれがあった。特に、レッグ伸縮部75の後胴回り域側の端部75Rとレッグサイドギャザー80の収縮部84の後胴回り域側の端部84Rの近傍は、両伸縮部によって吸収体等が顕著に収縮し易い。
【０１０１】
しかし、レッグ伸縮部75の後胴回り域側の端部75Rとレッグサイドギャザー80の収縮部84の後胴回り域側の端部84Rが、製品長手方向において比較的剛性の高い第１領域が配置された領域に位置する。よって、比較的剛性の高い第１領域によって、レッグ伸縮部75の後胴回り域側の端部75Rとレッグサイドギャザー80の収縮部84の後胴回り域側の端部84Rによる吸収体の伸縮を抑制することができる。よって、装着時に正しい位置に着用者を配置でき、装着位置のずれを抑制できる。
【０１０２】
後胴回り域30のレッグサイドギャザー80には、収縮部84よりも後胴回り域側に配置された接合部分81が設けられている。この接合部分81の前胴回り域側の端部は、第１領域の後胴回り域側の端部41Rよりも前胴回り域側に配置され、かつ第１領域の前胴回り域側の端部41Fよりも後胴回り域側に配置されている。すなわち、収縮部84よりも後胴回り域側に配置された接合部分81の前胴回り域側の端部は、第１領域41の肌当接面側に配置され、平面視にて第1領域41と重なっている。
【０１０３】
収縮部84よりも後胴回り域側に配置された接合部分81の前胴回り域側の端部は、レッグサイドギャザーがトップシート50側から立ち上がる部分であり、吸収体の変形の変曲点となり易い部分である。この接合部分81が第１領域と重なっているため、比較的剛性の高い第１領域によって吸収体の変形を効果的に抑制できる。
【０１０４】
また、第１領域41の後胴回り域側の端部41Rは、使い捨ておむつの後胴回り域側の端部10Rよりも前胴回り域側に配置されている。例えば、第１領域が使い捨ておむつの後端部に配置されていると、装着時に比較的剛性が高い第1領域の後胴回り域側の端部41Rが肌に当たり、肌への刺激となる可能性がある。しかし、第１領域が使い捨ておむつの後胴回り域側の端部10Rよりも前側に位置するため、第１領域が肌に直接当たりにくくなり、刺激や違和感を低減できる。
【０１０５】
さらに、第１領域41は、製品幅方向における一対のファスニングテープ90間に設けられている。使い捨ておむつの装着時は、ファスニングテープが前胴回り域に止着した状態となり、ファスニングテープから幅方向に延びる一定の領域が着用者の腰回りに保持される。このとき、ファスニングテープから幅方向に延びる一定の領域に皺やよれが生じていると、着用時に位置ズレを起こしやすい。しかし、ファスニングテープ間に、比較的剛性の高い第１領域を設けることにより、吸収体のよれや皺を抑制して、着用時の位置ずれを抑制できる。
【０１０６】
また、吸収体の吸収コア40aは、股下域の製品幅方向の長さが、前胴回り領域及び後胴回り域の製品幅方向の長さよりも短くなる括れ括れ領域46を有している。第１領域41の前胴回り域側の端部41Fである第１領域と第２領域42との境界は、吸収体の括れ領域46よりも後胴回り域側に配置されている。よって、括れ領域46には、比較的剛性の低い第2領域42が配置される。
【０１０７】
着用者の臀部は、丸みを有して膨らんでいる。使い捨ておむつの臀部に当てられる吸収体は、股下域25から後胴回り域側に向かって幅方向内側から幅方向外側に広がるように構成されており、この広がる部分によって臀部に沿うように吸収体を配置し、臀部を覆うように構成されている。一方、着用者の臀部よりも上方に位置する腰回り部分は、臀部と比較して膨らみの少ない平らな部分である。使い捨ておむつの臀部に当てられる吸収体は、曲げ剛性を高くして、体に対してフラットに沿わせることができるように構成されている。
【０１０８】
第１領域41と第２領域42との境界が括れ領域46よりも後胴回り域側に配置されているため、括れ領域46は、比較的剛性の低い第２領域が配置され、丸みのある臀部に沿って吸収体が配置される。一方、括れ領域よりも後胴回り域側の腰回りに当てられる部分は、比較的剛性の高い第１領域が配置され、体に対してフラットに沿って吸収体が配置される。
【０１０９】
第１領域の前胴回り域側の端部41Fは、クロッチ伸縮部200aよりも後胴回り域側に配置されている。上述のように、股下域25は、少なくとも製品長手方向に収縮するクロッチ伸縮部200aによって着用者側に引き上げられる。よって、着用者に近い位置にクロッチ部200が配置される。したがって、吸収体40は、外部からの重みや負荷が掛かった場合でも、身体に近い位置に沿って配置され易くなる。
【０１１０】
また、クロッチ伸縮部200aは、少なくとも製品長手方向に収縮しており、周囲の収縮しない部分と比較して剛性が高くなる。よって、クロッチ伸縮部200aとその周囲との境界は、剛性差によって変曲点となる。クロッチ伸縮部200aの前胴回り域側の端部及び後胴回り域側の端部を超えて、製品長手方向にレッグ伸縮部75及び／又はサイドレッグギャザー80が存在する。したがって、クロッチ伸縮部200aの長手方向両端部に変曲点が設けられ、クロッチ伸縮部が底部となるように変形する。
【０１１１】
股下域25に位置するクロッチ伸縮部200aが底部を構成し、着用者の股下に対向して配置できる。更に、クロッチ伸縮部よりも前胴回り域側及び後胴回り域側は、クロッチ伸縮部よりも剛性が低く、着用者の腹側及び背側に沿って配置できる。
【０１１２】
第１領域よりも前胴回り域側に、クロッチ伸縮部が設けられているため、使い捨ておむつを長手方向に展開した状態で、クロッチ伸縮部によって収縮し、吸収体の変形を吸収することができる。股下域で吸収体を変形させて、相対的に後胴回り域の第１領域41を平滑状態に維持し易くなる。よって、装着時に吸収体の後胴回り域を平滑状態に維持し、使い捨ておむつを正しい位置に装着することが可能となる。
【０１１３】
（４）使い捨ておむつの装着方法
以下、図５から図７を参照して、使い捨ておむつ10を着用者に装着する方法について説明する。説明の便宜上、図５から図７において、使い捨ておむつの内部に配置された吸収体の第１領域41及び第２領域42を模式的に示す。
【０１１４】
第１に、使い捨ておむつ10を展開すると、図５及び図７に示すように、自然状態において、クロッチ伸縮部200aが収縮し、股下域25がクロッチ伸縮部200aの後胴回り域30側の端部及びクロッチ伸縮部200aの前胴回り域20側の端部を基点として立ち上がる。
【０１１５】
このとき、レッグ伸縮部75及びレッグサイドギャザー80が収縮し、使い捨ておむつ全体に製品長手方向に収縮しようとする力がかかる。しかし、使い捨ておむつの吸収体40が配置されている領域は、吸収体が配置されていない領域と比較して剛性が高く、収縮し難い。よって、吸収体が配置された吸収体配置領域は、平滑な状態となり易い。
【０１１６】
更に、吸収体の第１領域41は、吸収体配置領域のうち、最も剛性が高く構成されている。よって、特に平滑な状態を維持し易くなる。この第１領域41は、吸収体40の後胴回り域側の端部を含み、着用者の臀部に当接する領域である。よって、図５及び図７に示すように、平滑な状態に維持された吸収体上に、着用者の臀部を配置して、着用者を使い捨ておむつ上に寝かせることができる。
【０１１７】
第２に、展開している自然状態の使い捨ておむつ10に着用者を寝かせた後、図６に示すように、前胴回り域20を折り返し、ファスニングテープ90によって前胴回り域20及び後胴回り域30を取り付けることで、使い捨ておむつ10を着用者の身体に装着させる。
【０１１８】
このとき、臀部と当接した第１領域よりも前胴回り域側の第２領域は、第１領域41よりも剛性が低く、第１領域よりも変形し易い。よって、着用者の腹側に沿って第２領域を配置することができる。
【０１１９】
（５）作用・効果  
レッグ伸縮部75の後胴回り域側の端部75Rとレッグサイドギャザー80の収縮部84の後胴回り域側の端部84Rが、製品長手方向において比較的剛性の高い第１領域が配置された領域に位置する。よって、比較的剛性の高い第１領域によって、レッグ伸縮部75の後胴回り域側の端部75Rとレッグサイドギャザー80の収縮部84の後胴回り域側の端部84Rによる吸収体の伸縮を抑制することができる。よって、装着時に正しい位置に着用者を配置でき、装着位置のずれを抑制できる。
【０１２０】
また、使い捨ておむつ10の圧搾部は、間欠的に第１領域全域に亘って、複数形成されている。よって、第１領域全体の剛性をほぼ均等に高くすることができる。更に、第１領域には、複数の圧搾部が間欠的に配置されているため、第１領域には、圧搾された部分と圧搾されていない部分とが混在する。圧搾されていない部分は、圧搾された部分よりも剛性が低く、柔軟に変形できるため、第１領域41の剛性を高めつつ、丸みのある体のラインに沿って配置できる。
【０１２１】
また、吸収体にクロッチ伸縮部200aが設けられているため、クロッチ伸縮部200aの製品長手方向端部が変曲点となり、吸収体が変形し易くなる。また、クロッチ伸縮部よりも製品長手方向内側に低剛性部が形成されており、低剛性部よりも前胴回り域20寄りに位置する吸収コア40a、及び低剛性部よりも後胴回り域30寄りに位置する吸収コア40aが、「底部」から立ち上がり、着用者の体（腹部および臀部）の丸みに沿うように湾曲し易くなるため、使い捨ておむつそのものの形状が着用者の体の形により近づくことができる。
【０１２２】
更に、本実施形態に係る使い捨ておむつ10によれば、使い捨ておむつ10を展開した場合に、自然状態において、かつ着用者の臀部に当接する第１領域を平滑な状態に維持しつつ、股下域25を、クロッチ伸縮部200aの製品長手方向の端部を基点として立ち上げることができる。
【０１２３】
着用補助者は、立ち上がっている股下域25に着用者の股間部を配置し、後胴回り域30の一部に着用者の臀部部分を接触させることによって、正確に、使い捨ておむつ10を着用者に装着することができる。よって、使い捨ておむつ10の装着位置のずれによる漏れの誘発を回避することができる。
【０１２４】
（６）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【０１２５】
例えば、第２領域よりも製品長手方向内側の吸収体に、圧搾部が形成され、第２領域よりも剛性が高い高剛性領域が設けられていてもよい。すなわち、本発明に係る吸収体は、少なくとも剛性が高い第１領域よりも製品長手方向内側に、第１領域よりも剛性が低い第２領域が設けられていればよく、第２領域よりも製品長手方向内側に、第１領域の剛性と同じ又は第１領域の剛性よりも高い高剛性領域が設けられていてもよい。
【０１２６】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【０１２７】
10…使い捨ておむつ
20…前胴回り域
25…股下域
30…後胴回り域
35…脚回り開口部
40…吸収体
40a…吸収コア
40b…コアラップ
41…第１領域
42…第２領域
45…圧搾部
46…括れ領域
50…トップシート
60…外装シート
60a…バックシート
70…サイドフラップ
71…弾性部材
75…レッグ伸縮部
80…レッグサイドギャザー
81…接合部分
82…自由端部分
84…収縮部
90…ファスニングテープ
115…切欠き
125…切欠き
200…クロッチ部
200a…クロッチ伸縮部
BL12…第1領域と第2領域の境界線
L…製品長手方向
W…製品幅方向
【要約】
【課題】ファスニングテープを有するオープンタイプの使い捨ておむつを正しい位置に装着し易くし、装着位置のずれを抑制できる使い捨ておむつを提供する。
【解決手段】使い捨ておむつ10の吸収体40は、吸収体40の後胴回り域側の端部40Rから股下域側に第１領域41と、第１領域よりも股下域側において第１領域に隣接して配置され、第１領域よりも曲げ剛性が低い第２領域42と、を備える。レッグ伸縮部の後胴回り域側の端部75R及びレッグサイド伸縮部における収縮部の後胴回り域側の端部84Rは、第１領域の後胴回り域側の端部41Rよりも股下域側に配置され、かつ第１領域の股下域側の端部41Fよりも後胴回り域側に配置されている。
【選択図】図１【図１】
0005291214.tif 000002
【図２】
0005291214.tif 000003
【図３】
0005291214.tif 000004
【図４】
0005291214.tif 000005
【図５】
0005291214.tif 000006
【図６】
0005291214.tif 000007
【図７】
0005291214.tif 000008